(57)【要約】【課題】優れた操作性を具備させることができる吐出器を提供する。【解決手段】本発明の一態様に係る吐出器１は、押下部材１６を回転軸Ｌ回りに回転させ、吐出ヘッド１３及びステム１２を下方移動させることにより、ステム１２内を通して吐出孔１３Ａから内容液を吐出する。吐出ヘッド１３は、ステム１２の上端部に装着された装着筒部３１と、装着筒部３１から前方に突出するとともに、吐出孔１３Ａに連通するノズル筒部３２と、を備えている。ノズル筒部３２には、ノズル筒部３２に対して前後方向に移動可能なスライド部材１００が設けられている。スライド部材１００は、吐出ヘッド１３及びステム１２の下方移動を規制する規制位置と、吐出ヘッド１３及びステム１２の下方移動を許容する規制解除位置と、の間を移動するストッパ１０４を備えている。【選択図】図２
2020196462.tif 000002
【特許請求の範囲】
【請求項１】
内容液が収容される容器本体の口部に、上方付勢状態で下方移動自在に配設されたステム、及び前記ステムの上端部に装着され、前方に向けて開口する吐出孔が形成された吐出ヘッドを有するポンプと、
前記ポンプを前記容器本体の口部に装着する装着キャップを有するベース部と、
前記ベース部に回転軸回りに回転自在に配設され、前記吐出ヘッドに連係する押下部材と、を備え、
前記押下部材を前記回転軸回りに回転させ、前記吐出ヘッド及び前記ステムを下方移動させることにより、前記ステム内を通して前記吐出孔から内容液を吐出する吐出器であって、
前記吐出ヘッドは、
前記ステムの上端部に装着された装着筒部と、
前記装着筒部から前方に突出するとともに、前記吐出孔に連通するノズル筒部と、を備え、
前記ノズル筒部には、前記ノズル筒部に対して前後方向に移動可能な可動部材が設けられ、
前記可動部材は、前記ベース部に形成された規制部に対し前記規制部の上方から当接して前記ベース部に対する前記吐出ヘッド及び前記ステムの下方移動を規制する規制位置と、前記規制部に対して前後方向でずれた位置に配置され、前記ベース部に対する前記吐出ヘッド及び前記ステムの下方移動を許容する規制解除位置と、の間を移動するストッパを備えている吐出器。
【請求項２】
前記可動部材は、前記ノズル筒部に外装されるとともに、前記ストッパに一体に形成された切替筒を備え、
前記切替筒は、前記ノズル筒部に対して前後方向に移動可能構成さるとともに、前記吐出孔よりも前方への突出量に応じて、前記吐出孔から吐出される内容液の吐出態様を切り替える請求項１に記載の吐出器。
【請求項３】
前記可動部材は、前記切替筒から外側に張り出す操作部を備えている請求項２に記載の吐出器。
【請求項４】
前記ストッパは、上下方向から見て前後方向に開口するＣ字状に形成されるとともに、前記規制位置において前記ステムに外装され、
前記ベース部は、前記装着キャップの上方において上下方向に延在するとともに、前記ステムの上下方向の移動を案内するガイド筒を備え、
前記ガイド筒の上端開口縁が前記規制部を構成している請求項１又は請求項２に記載の吐出器。
【発明の詳細な説明】
【技術分野】
【０００１】
本発明は、吐出器に関する。
【背景技術】
【０００２】
従来から、例えば下記特許文献１に示されるような吐出器が知られている。この種の吐出器は、内容液が収容される容器本体の口部に、上方付勢状態で下方移動自在に配設されたステム、及びステムの上端部に装着され、前方に向けて開口する吐出孔が形成された吐出ヘッドを有するポンプと、ポンプを容器本体の口部に装着する装着キャップを有するベース部と、ベース部に回転軸回りに回転自在に配設され、吐出ヘッドに連係する押下部材と、を備えている。
この構成によれば、押下部材を回転軸回りに回転させ、吐出ヘッド及びステムを下方移動させることにより、内容液がステム内を流通した後、吐出孔を通じて吐出される。
【０００３】
ところで、上述した吐出器では、予期せず内容液が吐出されるのを抑制するために、未使用時における吐出ヘッド及びステムの下方移動を規制するストッパが設けられることがある。下記特許文献１発明において、ストッパは、ベース部のうち、ステムよりも後方に位置する部分に回動可能に設けられている。
この構成によれば、ストッパが、吐出ヘッドとベース部との間に介在する規制位置にあるとき、ベース部に対する吐出ヘッド及びステムの下方移動が規制される。
【先行技術文献】
【特許文献】
【０００４】
【特許文献１】特開２０１７−６４６５１号公報
【発明の概要】
【発明が解決しようとする課題】
【０００５】
しかしながら、上述した従来技術にあっては、ストッパによる規制を解除するには、ステムに対して後方に配置されたストッパを直接操作する必要がある。そのため、操作性を向上させる点で未だ改善の余地があった。
【０００６】
そこで、本発明は、優れた操作性を具備させることができる吐出器を提供することを目的とする。
【課題を解決するための手段】
【０００７】
上記課題を解決するために、本発明は以下の手段を提案している。
本発明の一態様に係る吐出器は、内容液が収容される容器本体の口部に、上方付勢状態で下方移動自在に配設されたステム、及び前記ステムの上端部に装着され、前方に向けて開口する吐出孔が形成された吐出ヘッドを有するポンプと、前記ポンプを前記容器本体の口部に装着する装着キャップを有するベース部と、前記ベース部に回転軸回りに回転自在に配設され、前記吐出ヘッドに連係する押下部材と、を備え、前記押下部材を前記回転軸回りに回転させ、前記吐出ヘッド及び前記ステムを下方移動させることにより、前記ステム内を通して前記吐出孔から内容液を吐出する吐出器であって、前記吐出ヘッドは、前記ステムの上端部に装着された装着筒部と、前記装着筒部から前方に突出するとともに、前記吐出孔に連通するノズル筒部と、を備え、前記ノズル筒部には、前記ノズル筒部に対して前後方向に移動可能な可動部材が設けられ、前記可動部材は、前記ベース部に形成された規制部に対し前記規制部の上方から当接して前記ベース部に対する前記吐出ヘッド及び前記ステムの下方移動を規制する規制位置と、前記規制部に対して前後方向でずれた位置に配置され、前記ベース部に対する前記吐出ヘッド及び前記ステムの下方移動を許容する規制解除位置と、の間を移動するストッパを備えている。
【０００８】
本態様によれば、可動部材を操作することで、ストッパが規制位置及び規制解除位置の間を移動する。ここで、ノズル筒部に可動部材が設けられていることで、可動部材の少なくとも一部がステムの前方に位置することになる。そのため、ステムの前方からストッパを操作することができる。その結果、優れた操作性を具備させることができる。
【０００９】
上記態様に係る吐出器において、前記可動部材は、前記ノズル筒部に外装されるとともに、前記ストッパに一体に形成された切替筒を備え、前記切替筒は、前記ノズル筒部に対して前後方向に移動可能構成さるとともに、前記吐出孔よりも前方への突出量に応じて、前記吐出孔から吐出される内容液の吐出態様を切り替えてもよい。
本態様によれば、切替筒及びストッパを一体で移動させることができる。これにより、ストッパの規制位置から規制解除位置への移動に併せて、切替筒の吐出孔よりも前方への突出量を変化させることができる。すなわち、ストッパによるロック動作と、切替筒による吐出態様の切り替え動作を一連の動作で行うことができる。その結果、操作性の更なる向上を図ることができる。
【００１０】
上記態様に係る吐出器において、前記可動部材は、前記切替筒から外側に張り出す操作部を備えていてもよい。
本態様によれば、ステムの前方に配置された切替筒に操作部を設けることで、可動部材の操作性をより向上させることができる。
【００１１】
上記態様に係る吐出器において、前記ストッパは、上下方向から見て前後方向に開口するＣ字状に形成されるとともに、前記規制位置において前記ステムに外装され、前記ベース部は、前記装着キャップの上方において上下方向に延在するとともに、前記ステムの上下方向の移動を案内するガイド筒を備え、前記ガイド筒の上端開口縁が前記規制部を構成していてもよい。
本態様によれば、装着キャップの上方で上下方向に延びるガイド筒の上端開口縁を規制部とすることで、ストッパの上下方向の長さを短縮できる。これにより、設計自由度やレイアウト性の向上を図ることができる。
【発明の効果】
【００１２】
上記態様に係る吐出器によれば、優れた操作性を具備させることができる。
【図面の簡単な説明】
【００１３】
【図１】実施形態に係る吐出器（規制位置）の縦断面図である。
【図２】図１に示す吐出器（規制位置）の要部を示す拡大縦断面図である。
【図３】図１に示す吐出器（規制位置）の要部を示す拡大横断面図である。
【図４】スライド部材の縦断面図である。
【図５】図１に示す吐出器（泡吐出位置）の要部を示す拡大縦断面図である。
【図６】図１に示す吐出器（泡吐出位置）の要部を示す拡大縦断面図であって、押下部材を下降端位置まで押し下げた状態を示す図である。
【図７】図１に示す吐出器（霧吐出位置）の要部を示す拡大縦断面図である。
【図８】図１に示す吐出器（霧吐出位置）の要部を示す拡大縦断面図であって、押下部材を下降端位置まで押し下げた状態を示す図である。
【図９】図１に示す吐出器（泡吐出位置）の他の構成を示す拡大縦断面図である。
【図１０】図１に示す吐出器（泡吐出位置）の他の構成を示す拡大縦断面図である。
【発明を実施するための形態】
【００１４】
以下、図面を参照し、本発明の実施形態に係る吐出器を説明する。
図１に示すように、吐出器１は、内容液が収容される容器本体２の口部３に着脱可能に装着され、内容液を吐出する。吐出器１は、容器本体２に対して上方付勢状態で下方移動自在に配設されたステム１２、及びステム１２の上端部に装着された吐出ヘッド１３を有するポンプ１０と、ポンプ１０を口部３に装着する装着キャップ１１と、装着キャップ１１から立設された支持部材１５と、支持部材１５に回転軸Ｌ回りに回転自在に配設され、吐出ヘッド１３に連係する押下部材１６と、スライド部材（可動部材）１００と、正倒立両用アダプタ２００と、を備える。なお、本実施形態では、装着キャップ１１及び支持部材１５によってベース部を構成している。
【００１５】
吐出ヘッド１３は、ステム１２の上端部に装着された装着筒部３１と、装着筒部３１から突出するノズル筒部３２と、を備える。
ポンプ１０は、筒状のピストン４１と、ピストン４１が上下摺動自在に収容されたシリンダ４２と、ステム１２から下方に向けて延設され、ピストン４１の内側を上下方向に貫くピストンガイド４３と、を備える。ここで、装着キャップ１１、ステム１２、ピストン４１、シリンダ４２、及びピストンガイド４３は、それぞれの中心軸線が共通軸上に位置した状態で配設されている。
【００１６】
以下、この共通軸を中心軸線Ｏ１といい、中心軸線Ｏ１に沿う方向を上下方向という。また、上下方向から見た平面視において、中心軸線Ｏ１に交差する方向を径方向といい、中心軸線Ｏ１回りに周回する方向を周方向という。
また、ノズル筒部３２の中心軸線をノズル軸Ｏ２といい、ノズル軸Ｏ２に沿う方向をノズル軸方向という。ノズル軸方向から見て、ノズル軸Ｏ２に交差する方向をノズル径方向といい、ノズル軸Ｏ２回りに周回する方向をノズル周方向という。
さらに、平面視でノズル軸Ｏ２が延びる方向を前後方向といい、前後方向に沿ってノズル筒部３２の根元側を後方といい、ノズル筒部３２の先端側を前方という。上下方向及び前後方向の双方に直交する方向を左右方向という。
【００１７】
図２に示すように、装着キャップ１１は、円環状の頂壁部１１ａと、頂壁部１１ａの外周縁から下方に向けて延びる円筒状の口部装着部１１ｂと、を有する。口部装着部１１ｂの内周面には、容器本体２の口部３における外周面に形成された雄ネジに螺合する雌ネジが形成されている。
【００１８】
ステム１２は、容器本体２の口部３に上方付勢状態で下方移動可能に立設されている。ステム１２における上下方向の中間部分には、下方に向かうに従い漸次拡径するテーパ状の段筒部１２Ａが形成されている。
ステム１２とピストン４１との間には、ピストン４１に対するステム１２及びピストンガイド４３の下方移動に伴って、ピストン４１及びステム１２により上下方向の圧縮力が加えられる弾性片２５が配設されている。
【００１９】
弾性片２５は、表裏面が径方向を向き、上下方向に延びる板状に形成されている。弾性片２５は、ステム１２の下端開口縁から下方に連なっている。弾性片２５は、周方向に間隔をあけて複数（本実施形態では６つ）配置されている。弾性片２５はステム１２と一体に形成されている。複数の弾性片２５は、互いに同等の形状かつ同等の大きさに形成されている。弾性片２５の径方向の大きさ（厚み）は、ステム１２の厚みよりも薄くなっている。なお、ステム１２及び弾性片２５は、弾性片２５が一定の力が加えられたときに変形するような、ある程度剛性を有する材質、例えばポリプロピレン等で形成されている。
【００２０】
装着筒部３１は、有頂筒状に形成されている。装着筒部３１は、ステム１２内に嵌合されている。装着筒部３１の上端部には、左右方向に突出する軸部１０Ａが形成されている。軸部１０Ａは、左右方向から見て円形状を呈している。
【００２１】
ノズル筒部３２は、装着筒部３１から前方に向けて突出している。ノズル筒部３２内には、前後方向に延在する芯棒体３５と、芯棒体３５の前端部に被着されたチップ３６と、が配設されている。
芯棒体３５の外周面には、前後方向に延びるとともに、ノズル筒部３２の内周面との間で内容液の流動を可能とする複数の流路溝部３５Ａが形成されている。
【００２２】
チップ３６は、芯棒体３５と同軸上に配設された有頂筒状に形成されている。チップ３６は、内側に芯棒体３５が嵌合された円筒状のチップ筒部３７と、チップ筒部３７の前端部に設けられた端壁部３８と、を有している。
【００２３】
チップ筒部３７は、ノズル筒部３２内に嵌合されている。
端壁部３８は、芯棒体３５の前端面に当接している。端壁部３８の後面のうち、芯棒体３５の前端面に対向する部分には、芯棒体３５の流路溝部３５Ａに連通するスピン流路３８Ａが形成されている。端壁部３８におけるノズル径方向の中央部分には、スピン流路３８Ａに連通する吐出孔１３Ａが前方に向けて開口している。すなわち、吐出孔１３Ａは、ノズル筒部３２の前端部において、ノズル筒部３２内に連通している。吐出孔１３Ａの開口面積は、流路溝部３５Ａにおける流路面積（ノズル軸方向と直交する断面積）よりも小さい。吐出孔１３Ａは、流路溝部３５Ａ及びスピン流路３８Ａ内を通じてノズル筒部３２内を流れる内容液を、加圧して霧状に吐出する。
【００２４】
ピストン４１は、シリンダ４２内に上下摺動可能に嵌合された外筒ピストン５１と、外筒ピストン５１における径方向の内側に配置され、ピストンガイド４３を径方向の外側から囲繞する内筒ピストン５２と、外筒ピストン５１と内筒ピストン５２とを連結する環状連結部５３と、を備えている。これら外筒ピストン５１、内筒ピストン５２及び環状連結部５３はそれぞれ、中心軸線Ｏ１と同軸に配設されている。図示の例では、外筒ピストン５１、内筒ピストン５２及び環状連結部５３は一体に形成されている。
【００２５】
シリンダ４２は、多段の円筒状に形成されている。シリンダ４２は、上下方向に延在する上筒部６２と、上筒部６２の下端部から下方に向けて延在し、上筒部６２よりも内径及び外径が小さい下筒部６３と、下筒部６３の下端部から下方に向けて延在し、下筒部６３よりも内径及び外径が小さい小径部６４と、上筒部６２の下端部と下筒部６３の上端部とを接続する環状の段部６５と、小径部６４から下方に向けて延びる接続筒部６９と、を備える。
【００２６】
段部６５の上面は、外筒ピストン５１に上下方向で対向している。ピストン４１が下降端位置に位置したとき、外筒ピストン５１の下端部が段部６５の上面に当接する。段部６５の上面は、径方向外側に向かうに従って漸次下方に向かって延びている。下筒部６３の上端部の内周面は、下方に向かうに従って漸次縮径している。
【００２７】
上筒部６２の上部には、上筒部６２の内外を連通させる空気孔６２Ｂが形成されている。上筒部６２の上端部には、径方向の外側に向けて突出する円環状の支持板部６１が形成されている。支持板部６１の上面における外周部に、装着キャップ１１の頂壁部１１ａの下面が当接している。支持板部６１と容器本体２の口部３における上端開口縁との間には、第１パッキン６６が配設されている。装着キャップ１１の口部装着部１１ｂが、口部３に螺着されることにより、支持板部６１及び第１パッキン６６が、頂壁部１１ａと口部３との間に固定される。
【００２８】
支持板部６１には、上方に向けて延び、かつ装着キャップ１１の開口部に挿通された立設筒部６０が形成されている。立設筒部６０の外径及び内径は、上筒部６２の外径及び内径よりも大きくなっている。立設筒部６０の上端開口縁は、ステム１２の段筒部１２Ａと上下方向において同等の位置に位置している。
支持板部６１のうち、立設筒部６０より径方向の内側に位置する部分の上面には、環状の第２パッキン５６が配設されている。
【００２９】
小径部６４は、下筒部６３の下端部から下方に向けて真っ直ぐ延びる直筒部６７と、直筒部６７の下端部から下方に向かうに従い漸次縮径するテーパ筒部６８と、を有している。テーパ筒部６８の内側には、弁体４４がテーパ筒部６８のテーパ面に離着可能に配設されている。
なお、弁体４４は、球状に形成された合成樹脂製のいわゆるボール弁とされている。弁体４４は、コストや廃棄容易性等の観点で合成樹脂製とすることが好ましい。また、弁体４４は、金属製等であってもよい。さらに、ボール弁に替わる種々の弁体を用いた逆止弁でもよい。
【００３０】
テーパ筒部６８の内周面には、径方向の外側から内側に向かうに従い漸次、上方に向けて延びる規制突部６８Ａが突設されている。規制突部６８Ａの上端の内径は、弁体４４の外径よりも小さくなっている。これにより、弁体４４が規制突部６８Ａから上方に離脱するのを規制している。
【００３１】
ピストンガイド４３は、ステム１２から下方に向けて延びる周筒部４３Ｄ及び底壁部を備える有底筒状に形成されている。底壁部には、径方向の外側に向けて突出する円環状のフランジ部４３Ａが形成されている。
周筒部４３Ｄの下端部に、外径がフランジ部４３Ａの上面から上方に向かうに従い漸次縮径した当接部４３Ｅが形成されている。当接部４３Ｅには、内筒ピストン５２の下端部が当接している。
【００３２】
周筒部４３Ｄの下部には、ピストンガイド４３内とシリンダ４２内とを連通させる連通孔４３Ｂが形成されている。連通孔４３Ｂは、例えば中心軸線Ｏ１を径方向で挟む両側に配置されている。連通孔４３Ｂは、上述した当接部４３Ｅよりも上方に位置している。これにより、連通孔４３Ｂとシリンダ４２の上筒部６２内との連通が遮断されている。
【００３３】
周筒部４３Ｄの上部には、ピストンガイド４３内とステム１２内とを連通する貫通孔４３Ｃが形成されている。貫通孔４３Ｃは、連通孔４３Ｂと同様に、例えば中心軸線Ｏ１を径方向に挟む両側に配置されている。貫通孔４３Ｃは、ステム１２の段筒部１２Ａに向けて開口している。連通孔４３Ｂ及び貫通孔４３Ｃがピストンガイド４３に形成されていることで、ピストンガイド４３とピストン４１との間、並びにピストンガイド４３とステム１２との間の空気が滞留するのを抑制できる。
ピストンガイド４３のうち貫通孔４３Ｃよりも上方に位置する部分は、ステム１２内に嵌合している。これにより、ピストンガイド４３は、ステム１２と共に一体に上下動する。
【００３４】
ピストンガイド４３の下端部には、下方に向けて突出し、コイルバネ９５が外装されるガイド突部４３Ｆが形成されている。ガイド突部４３Ｆは、表裏面が周方向を向く板体が中心軸線Ｏ１回りに複数配置されて構成されている。ガイド突部４３Ｆは、上方付勢状態で、シリンダ４２における上筒部６２の下部から下筒部６３の上部に亘って配設されている。
コイルバネ９５のうち、上端部はフランジ部４３Ａの下面に当接し、下端部はシリンダ４２における直筒部６７の上端開口縁に当接している。これにより、ピストンガイド４３はコイルバネ９５から上向きの付勢力を受けている。
【００３５】
支持部材１５は、シリンダ４２の立設筒部６０に外装された有頂筒状の囲繞筒部１５ａと、囲繞筒部１５ａの頂壁から上方に向けて延びるガイド筒１５ｃと、囲繞筒部１５ａから後方に向けて突設され、左右方向に間隔をあけて配設された一対の側壁部７７と、側壁部７７の後端縁同士を左右方向に接続する後壁部７８と、を有している。なお、支持部材１５は、装着キャップ１１と一体に形成されていてもよい。
【００３６】
囲繞筒部１５ａの頂壁は環状に形成されている。囲繞筒部１５ａにおける頂壁の内周縁部には、ガイド筒１５ｃが配置されている。ガイド筒１５ｃ内には、ステム１２が下方移動可能に挿通されている。囲繞筒部１５ａにおける頂壁の下面には、ステム１２が挿通された内側垂下筒部１５ｄと、内側垂下筒部１５ｄと囲繞筒部１５ａの周壁との間に配置された外側垂下筒部１５ｅと、が形成されている。ガイド筒１５ｃ、内側垂下筒部１５ｄ及び外側垂下筒部１５ｅは、中心軸線Ｏ１と同軸に配設されている。
【００３７】
囲繞筒部１５ａにおける周壁の下端部は、装着キャップ１１の頂壁部１１ａと隙間を介して上下方向に対向している。
外側垂下筒部１５ｅは、立設筒部６０内に嵌合されている。外側垂下筒部１５ｅの下端開口縁は、第２パッキン５６を介して、シリンダ４２における支持板部６１の内周部の上面に押し当てられている。
内側垂下筒部１５ｄは、ステム１２の下部に外装されている。内側垂下筒部１５ｄの下端開口縁は、第２パッキン５６を介して、ピストン４１の外筒ピストン５１の上端開口縁に押し当てられている。
【００３８】
側壁部７７は、前方から後方に向かうに従い漸次上方に向けて延びている。側壁部７７の上端には、円柱状の軸体７７Ａが左右方向の外側に向けて突設されている。軸体７７Ａは、ステム１２より後方に配置されている。軸体７７Ａの中心を通り、かつ左右方向に延びる仮想の軸線が押下部材１６の回転軸Ｌとなる。これにより、回転軸Ｌは、ステム１２より後方に配置されるとともに左右方向に延びている。
【００３９】
押下部材１６は、軸体７７Ａを介して支持部材１５に取り付けられている。これにより、押下部材１６は、支持部材１５に対して回転軸Ｌ回りに揺動可能に連結されている。押下部材１６は、吐出ヘッド１３の装着筒部３１の上方を前後方向に跨ぎ、かつノズル筒部３２及び後述するスライド部材１００が前後方向に貫く天板部９０と、天板部９０の前端縁から下方に向けて延びる前板部９１と、天板部９０の左右両側の側端縁から下方に向けて突出し、左右方向に向かい合う一対の側板部９２と、を備える。
そして、天板部９０と一対の側板部９２とで囲まれる内部空間に吐出ヘッド１３が配置されている。よって、一対の側板部９２は、吐出ヘッド１３を左右方向に挟むように配置されている。
【００４０】
天板部９０は、上方に向けて膨らむように滑らかに湾曲した形状とされている。天板部９０の後端部は、支持部材１５における後壁部７８の上端部に上方から当接している。これにより、押下部材１６は、回転軸Ｌを中心としたこれ以上の上方への揺動が規制されている。
前板部９１は、天板部９０の前端縁から前方に向かうに従い漸次下方に向けて延在している。なお、前板部９１の下側部分は、指先を掛けるための指掛部分とされている。
【００４１】
一対の側板部９２は、支持部材１５の一対の側壁部７７における上部を左右方向に挟んでいる。各側板部９２の後端部には、軸体７７Ａが挿通される軸孔部９２Ａが形成されている。これにより、押下部材１６は、支持部材１５に対して軸体７７Ａ回り（回転軸Ｌ回り）に揺動可能に支持される。
【００４２】
押下部材１６の前部には、貫通孔９３が形成されている。貫通孔９３は、天板部９０の前端部と前板部９１の上端部との境界部分、及び側板部９２の上端部に至る部分に形成されている。すなわち、貫通孔９３は、前斜め上方、及び左右方向の両側に開口している。但し、貫通孔９３は、少なくとも前方に開口していればよい。
【００４３】
貫通孔９３内には、吐出ヘッド１３のノズル筒部３２及びスライド部材１００が挿通されている。これにより、ノズル筒部３２は、貫通孔９３を通して天板部９０から前方に向けて突出しており、押下部材１６と吐出ヘッド１３との中心軸線Ｏ１回りにおける相対的な回転が規制されている。
【００４４】
押下部材１６には、吐出ヘッド１３の軸部１０Ａに係合する係合溝３１Ａが形成されている。係合溝３１Ａは、押下部材１６の一対の側板部９２から左右方向の内側に向けて張り出した板部の下端部に、下方に向けて開口する半円形状に形成されている。この係合溝３１Ａ内に軸部１０Ａが挿入されている。
以上の構成において、押下部材１６を回転軸Ｌ回りに下方に揺動すると、係合溝３１Ａの内周面が軸部１０Ａの外周面を下方に向けて押し込むことにより、ステム１２及びピストンガイド４３が、コイルバネ９５の上方付勢力に抗して下降する。
【００４５】
図１に示すように、正倒立両用アダプタ２００は、シリンダ４２に連結され、吐出器１の正立時及び倒立時の双方で、シリンダ４２内が負圧となったときに、内容液をシリンダ４２内に供給するように構成されている。
【００４６】
図２、図３に示すように、スライド部材１００は、上述したノズル筒部３２に対して前後方向にスライド移動可能に装着されている。スライド部材１００は、造泡筒（切替筒）１０１と、外装部１０２と、操作部１０３と、ストッパ１０４と、を備えている。造泡筒１０１、外装部１０２、操作部１０３及びストッパ１０４は、例えば樹脂材料等によって一体形成されている。
造泡筒１０１は、ノズル軸Ｏ２と同軸上に配置されている。造泡筒１０１内にはノズル筒部３２が挿通されている。したがって、造泡筒１０１は、ノズル筒部３２に対して前後方向にスライド移動可能に構成されている。造泡筒１０１の前端部は、貫通孔９３を通じて天板部９０よりも前方に突出している。
【００４７】
図３、図４に示すように、造泡筒１０１には、左右方向の外側に窪むガイド溝１１０が形成されている。ガイド溝１１０は、前後方向において造泡筒１０１の中央部分から後端縁に至るまで直線状に延在している。ガイド溝１１０の内面における後端部には、左右方向の内側に向けて突出する第１係止爪１１１が形成されている。本実施形態において、ガイド溝１１０は、ノズル軸Ｏ２を間に挟んで左右方向の両側に形成されている。
【００４８】
各ガイド溝１１０の内側には、ノズル筒部３２に形成されたレール部１１５が収容されている。レール部１１５は、ノズル筒部３２から左右方向の外側に突出している。各レール部１１５は、前後方向に直線状に延在している。各レール部１１５の前端部には、左右方向の外側に突出する第２係止爪１１６が形成されている。レール部１１５は、ノズル筒部３２に対する造泡筒１０１のスライド移動時にガイド溝１１０内を移動することで、造泡筒１０１のスライド移動を案内する。この場合、第１係止爪１１１は、造泡筒１０１が最前端位置にあるときに、第２係止爪１１６に対して第２係止爪１１６の後方から近接又は当接する。これにより、ノズル筒部３２に対する造泡筒１０１の前方への移動が規制される。
【００４９】
造泡筒１０１には、造泡筒１０１の内外を連通させる外気導入部１１８が形成されている。外気導入部１１８は、造泡筒１０１をノズル径方向に貫くとともに、ノズル周方向を長手方向とするスリット状に形成されている。外気導入部１１８において、各ガイド溝１１０の前方に位置する部分に形成されている。なお、外気導入部１１８の位置や数等は、適宜変更が可能である。
【００５０】
図２に示すように、外装部１０２は、造泡筒１０１から上下左右に張り出している。外装部１０２は、天板部９０、前板部９１及び側板部９２に倣って形成され、貫通孔９３の開口縁に連なっている。これにより、貫通孔９３のうち、ノズル筒部３２の周囲に位置する部分は、外装部１０２によって閉塞されている。なお、図示の例において、外装部１０２の後端縁は、貫通孔９３の後端開口縁に対して上方から重なり合っている。
【００５１】
図３に示すように、操作部１０３は、外装部１０２から左右両側に張り出している。操作部１０３は、スライド部材１００を操作する際の指掛け部として機能する。なお、操作部１０３は、スライド部材１００のうち、貫通孔９３よりも前方に位置する部分において、上下左右の外側に張り出していればよい。
【００５２】
図２、図４に示すように、ストッパ１０４は、造泡筒１０１の後端開口縁から下方に延在している。具体的に、ストッパ１０４は、平面視において中心軸線Ｏ１と同軸に配置されるとともに、後方に開口する円弧状に形成されている。ストッパ１０４は、ステム１２の上端部にステム１２の前方から嵌合されている。ストッパ１０４は、スライド部材１００が少なくとも最後端位置にあるときに、ノズル筒部３２とガイド筒１５ｃとの間に介在している。具体的に、ストッパ１０４の上端縁は、ノズル筒部３２の後端部にノズル筒部３２の下方から近接又は当接している。一方、ストッパ１０４の下端縁は、ガイド筒１５ｃの上端開口縁にガイド筒１５ｃの上方から近接又は当接している。ストッパ１０４は、ノズル筒部３２とガイド筒１５ｃとの間に介在して、吐出ヘッド１３（及びステム１２）の下方移動を規制している。なお、図４の例において、ストッパ１０４の下端部には、上端部に比べて周方向の長さを拡大する延長部１０４ａが形成されている。
【００５３】
ストッパ１０４には、前方に向けてリブ１２０が突出している。リブ１２０は、上下方向に延在している。リブ１２０の上端縁は、造泡筒１０１の後端部に連なっている。
【００５４】
スライド部材１００は、吐出ヘッド１３（及びステム１２）の下方移動を規制する規制位置と、吐出ヘッド１３（及びステム１２）の下方移動を許容する規制解除位置（吐出可能位置）と、の間を前後方向に移動する。規制位置は、スライド部材１００の最後端位置であって、上述したようにストッパ１０４がノズル筒部３２とガイド筒１５ｃとの間に介在して、ガイド筒１５ｃに対する吐出ヘッド１３（及びステム１２）の下方移動を規制する。規制解除位置は、ストッパ１０４がステム１２から外れ、ストッパ１０４がノズル筒部３２から前方にずれた位置に配置される。なお、図示の例において、スライド部材１００が規制位置にあるとき、造泡筒１０１の前端縁は、ノズル筒部３２の前端部よりも後方に位置していている。但し、造泡筒１０１の前端縁と、ノズル筒部３２の前端部と、の位置は適宜変更が可能である。
【００５５】
そして、本実施形態のスライド部材１００は、上述した規制解除位置において、ノズル筒部３２に対する造泡筒１０１の前後方向の位置に応じて、吐出孔１３Ａから吐出される内容液の吐出態様を切り替える。具体的に、スライド部材１００は、泡吐出位置と、霧吐出位置と、の間を前後方向に移動する。泡吐出位置では、造泡筒１０１が吐出孔１３Ａの周囲を囲い、かつ外気導入部１１８のうち、造泡筒１０１の内周面に開口する部分の少なくとも一部が吐出孔１３Ａより前方に位置する。霧吐出位置は、規制解除位置のうち、泡吐出位置よりも後方に位置している。霧吐出位置では、外気導入部１１８のうち、造泡筒１０１の内周面に開口する部分の全体が吐出孔１３Ａより後方に位置している。すなわち、霧吐出位置において、外気導入部１１８は、ノズル筒部３２の外周面によって造泡筒１０１の径方向の内側から覆っている。
【００５６】
次に、本実施形態の吐出器１の使用方法について説明する。以下の説明では、スライド部材１００が規制位置にある状態を初期状態として、ロック解除動作及び吐出動作について説明する。
まず、規制位置から泡吐出位置までスライド部材１００を移動させる。具体的には、操作部１０３を把持する等した状態で、スライド部材１００を前方に引っ張る。すると、図５に示すように、ストッパ１０４とステム１２との嵌合が外れ、スライド部材１００がノズル筒部３２に対して前方に移動する。その後、スライド部材１００をさらに前方に引っ張ることで、外気導入部１１８が吐出孔１３Ａよりも前方に位置する。これにより、上述した泡吐出位置となる。
【００５７】
図６に示すように、スライド部材１００が泡吐出位置にある状態で、押下部材１６を回転軸Ｌ回りに下方に向けて回転させる。この際、例えば押下部材１６の前板部９１の指掛部分に指先を掛けながら、コイルバネ９５の付勢力に抗して押下部材１６を下方に向けて回転させる。押下部材１６を下方に向けて回転させると、吐出ヘッド１３が下方移動し、弁体４４によりシリンダ４２のテーパ筒部６８内を閉塞した状態で、ステム１２及びピストンガイド４３がシリンダ４２に対して押し下げられる。
【００５８】
ステム１２がピストンガイド４３とともに押し下げられると、ステム１２と環状連結部５３との間で、弾性片２５が弾性変形させられつつ、ステム１２及びピストンガイド４３がピストン４１に対して下方移動する。これにより、ピストンガイド４３の当接部４３Ｅが、内筒ピストン５２から下方に離間することで、シリンダ４２内とステム１２内とが連通する。その結果、シリンダ４２内の内容液が、ステム１２内を上昇しノズル筒部３２内に導入される。ノズル筒部３２内に導入された内容液は、スピン流路３８Ａを通って吐出孔１３Ａから霧状に吐出される。
【００５９】
スライド部材１００が泡吐出位置にある状態で、内容液が吐出孔１３Ａから吐出されると、吐出孔１３Ａの周囲を囲う造泡筒１０１の内側が負圧になる。すると、吐出孔１３Ａより前方に位置する外気導入部１１８を通して、造泡筒１０１の内側に外気が導入される。これにより、霧状の内容液が、造泡筒１０１の内側に導入された外気と造泡筒１０１内で混合されるとともに、造泡筒１０１の内周面に衝突する等して発泡する。その結果、泡状の内容液が造泡筒１０１から前方に吐出される。
【００６０】
一方、図７、図８に示すように、スライド部材１００が霧吐出位置にある場合には、外気導入部１１８の全体が吐出孔１３Ａより後方に位置する。そのため、吐出孔１３Ａから吐出された霧状の内容液は、外気と混合されることなく、霧状のまま前方に吐出される。
【００６１】
図２に示すように、吐出器１の使用後、スライド部材１００を規制位置に戻すには、操作部１０３等を把持してスライド部材１００を後方に移動させる。すると、ストッパ１０４がステム１２に対してステム１２の前方から嵌合される。この状態で、仮に押下部材１６を下方に向けて回転させようとすると、ストッパ１０４の上端縁がノズル筒部３２の外周面に当接し、ストッパ１０４の下端縁がガイド筒１５ｃの上端開口縁に当接することで、支持部材１５に対する吐出ヘッド１３の下方移動が規制される。なお、ストッパ１０４は、吐出孔１３Ａから内容液が吐出される前にノズル筒部３２及びガイド筒１５ｃに当接する構成であれば、押下部材１６を操作していない状態においてノズル筒部３２及びガイド筒１５ｃから離間していてもよい。
【００６２】
このように、本実施形態では、ノズル筒部３２に設けられたスライド部材１００がストッパ１０４を有している構成とした。
この構成によれば、スライド部材１００を操作することで、ストッパ１０４が規制位置及び規制解除位置の間を移動する。ここで、ノズル筒部３２にスライド部材１００が設けられていることで、スライド部材１００の少なくとも一部がステム１２の前方に位置することになる。そのため、ステム１２の前方からストッパ１０４を操作することができる。その結果、優れた操作性を具備させることができる。
【００６３】
本実施形態では、造泡筒１０１とストッパ１０４とが一体に形成されている構成とした。
この構成によれば、造泡筒１０１及びストッパ１０４を一体で移動させることができる。これにより、ストッパ１０４の規制位置から規制解除位置への移動に併せて、造泡筒１０１を泡吐出位置と霧吐出位置との間で移動させることができる。すなわち、ストッパ１０４によるロック動作と、造泡筒１０１による吐出態様の切り替え動作を一連の動作で行うことができる。その結果、操作性の更なる向上を図ることができる。
【００６４】
本実施形態では、スライド部材１００が造泡筒１０１から左右方向に張り出す操作部１０３を備える構成とした。
この構成によれば、ステム１２の前方に配置された造泡筒１０１に操作部１０３を設けることで、スライド部材１００の操作性をより向上させることができる。
【００６５】
本実施形態では、スライド部材１００が規制位置にあるとき、ストッパ１０４がガイド筒１５ｃに当接する構成とした。
この構成によれば、装着キャップ１１の上方で上下方向に延びるガイド筒１５ｃの上端開口縁を規制部とすることで、ストッパ１０４の上下方向の長さを短縮できる。これにより、設計自由度やレイアウト性の向上を図ることができる。
【００６６】
以上、本発明の実施形態について図面を参照して詳述したが、具体的な構成はこの実施形態に限られるものではなく、本発明の要旨を逸脱しない範囲の設計変更等も含まれる。
例えば、上述した実施形態では、外気導入部１１８がノズル周方向を長手方向とする構成について説明したが、この構成に限られない。外気導入部１１８は、例えば図９、図１０に示すように、ノズル軸方向を長手方向とする構成であってもよい。この場合には、ノズル筒部３２に対するスライド部材１００の前後方向の相対位置によって外気導入部１１８の開口面積（吐出孔１３Ａよりも前方に位置する部分の面積）の調整幅を確保できる。これにより、造泡筒１０１内を内容液が通過する際に発生する負圧の程度を変化させることができるので、泡質を調整することができる。
【００６７】
上述した実施形態では、スライド部材１００の位置に応じて内容液を泡状及び液状に切り替える構成について説明したが、この構成に限られない。例えば、スライド部材１００の位置に応じて吐出範囲を切り替える構成であってもよい。すなわち、吐出孔１３Ａから吐出される内容液の吐出範囲を一定に設定した状態で、吐出孔１３Ａからの切替筒の前方への突出量を調整することで、吐出孔１３Ａから拡散する内容液をノズル筒部３２によって制限してもよい。このように、造泡筒１０１は、前後方向の移動に伴い吐出態様を変更する構成であればよい。
【００６８】
上述した実施形態では、ガイド筒１５ｃの上端開口縁が規制部である場合について説明したが、この構成に限られない。ストッパ１０４は、規制位置において、ベース部の何れかの箇所に当接して、吐出ヘッド１３及びステム１２の下方移動を規制できればよい。
上述した実施形態では、規制位置において、ストッパ１０４がステム１２に嵌合される構成について説明したが、この構成に限られない。ストッパ１０４は、規制位置において、ノズル筒部３２と規制部との間に介在する構成であればよい。
上述した実施形態では、本発明に係る可動部材として、スライド部材１００を採用した場合について説明したが、この構成に限られない。可動部材は、ノズル筒部に対して前後動する構成であれば、ノズル軸Ｏ２回りの回転に伴い前後動する構成等であってもよい。
【００６９】
上述した実施形態では、造泡筒１０１とストッパ１０４とが一体に形成された構成について説明したが、この構成に限られない。造泡筒１０１とストッパ１０４を別々に有する構成でもよく、造泡筒１０１を有さない構成であってもよい。
上述した実施形態では、造泡筒１０１、操作部１０３及びストッパ１０４がステム１２よりも前方に配置された構成について説明したが、この構成に限られない。スライド部材１００の少なくとも一部（例えば、造泡筒１０１）がステム１２の前方に配置されていれば、例えばストッパ１０４がスライド部材１００の移動に伴い後方からステム１２に嵌合される構成でもよい。
また、上述した実施形態では、操作部１０３を介してスライド部材１００を操作する構成について説明したが、この構成に限られない。スライド部材１００のうち、貫通孔９３よりも外側に突出した部分を介してスライド部材１００を操作する構成であってもよい。
【００７０】
その他、本発明の趣旨を逸脱しない範囲で、上述した実施形態における構成要素を周知の構成要素に置き換えることは適宜可能であり、また、前記変形例を適宜組み合わせてもよい。
【符号の説明】
【００７１】
１…吐出器
２…容器本体
３…口部
１０…ポンプ
１１…装着キャップ（ベース部）
１２…ステム
１３…吐出ヘッド
１３Ａ…吐出孔
１５…支持部材（ベース部）
１５ｃ…ガイド筒（規制部）
１６…押下部材
３１…装着筒部
３２…ノズル筒部
１００…スライド部材（可動部材）
１０１…造泡筒（切替筒）
１０３…操作部
１０４…ストッパ
１１８…外気導入部
【図１】
2020196462.tif 000003
【図２】
2020196462.tif 000004
【図３】
2020196462.tif 000005
【図４】
2020196462.tif 000006
【図５】
2020196462.tif 000007
【図６】
2020196462.tif 000008
【図７】
2020196462.tif 000009
【図８】
2020196462.tif 000010
【図９】
2020196462.tif 000011
【図１０】
2020196462.tif 000012